(57)【要約】【課題】開封視認が容易に行え、容易かつ安価に製造できる、再封可能な包装容器およびその製造方法の提供。【解決手段】包装容器１は、内容物が凹部に収納される平面略矩形状の容器本体２を備え、この容器本体２は、その中心部に平面略矩形に形成された開口部２１を塞ぐため蓋材３が開口部２１の周縁に配設されたフランジ部２２にヒートシールされている。このフランジ部２２と蓋材３とのヒートシールはシール部２３で行われる。フランジ部２２は、四つの角のうちの一つの角が外側に突き出すように広く形成され、シール部２３の面よりも一段低くなって張出部２４とされている。この張出部２４上には、容器本体２と蓋材３が部分的にシールされた開封視認部４が形成される。【選択図】図１
2008062962.tif 000002
【特許請求の範囲】
【請求項１】
開口部の周縁にフランジ部が形成された容器本体と、前記開口部を塞ぐとともに前記フランジ部との間をシール部でシールされた蓋材とを備え、開封した前記蓋材が前記容器本体に再封するための粘着層が、前記フランジ部または前記蓋材のどちらかに設けられた包装容器において、
前記フランジ部の前記シール部の開封開始位置から外側に向けた領域の部分に、前記容器本体と前記蓋材とが部分的にシールされた中央部と、この中央部の外周に沿って形成された切欠部とを有する開封視認部が形成され、
この開封視認部は、開封時に前記容器本体と前記蓋材との少なくとも一方が変形することを特徴とする包装容器。
【請求項２】
請求項１に記載された包装容器において、
前記切欠部は、蓋材フィルムが切断された切断部と、蓋材フィルムが切断されていない接続部とを有することを特徴とする包装容器。
【請求項３】
請求項１および請求項２に記載された包装容器において、
前記切断部は、前記中央部の外周に沿って向き合うように形成され、
前記接続部は、前記切断部の端部と端部の間にあって、前記中央部の外周の互いに対向する位置に形成されることを特徴とする包装容器。
【請求項４】
請求項１から請求項３に記載された包装容器において、
前記開封視認部は、前記対向する前記接続部を結ぶ直線が、前記包装容器を開封する方向と交差する方向に配置されていることを特徴とする包装容器。
【請求項５】
請求項１に記載された包装容器において、
前記切欠部は、蓋材フィルムが薄肉状に形成されていることを特徴とする包装容器。
【請求項６】
請求項１から請求項５のいずれかに記載された包装容器を製造する製造方法であって、
前記蓋材が前記フランジ部に重なった状態で、前記蓋材の上から先端の尖ったヒートシール歯を押圧することによって開封視認部が形成されることを特徴とする包装容器の製造方法。
【請求項７】
請求項１から請求項５のいずれかに記載された包装容器を製造する製造装置であって、
前記蓋材が前記フランジ部に重なった状態で、前記蓋材の上から押圧することによって開封視認部を形成するヒートシール歯を備えていることを特徴とする包装容器の製造装置。
【請求項８】
請求項７に記載された包装容器の製造装置において、
前記ヒートシール歯は、その押圧面に凹部が形成され、前記凹部を取り囲む外周部は全周に沿って部分的に尖った形状であるか、全周にわたって一体的に尖っている形状であることを特徴とする包装容器の製造装置。
【発明の詳細な説明】
【技術分野】
【０００１】
本発明は、包装容器、その製造方法および製造装置に関する。
【背景技術】
【０００２】
従来、食品等の包装形態としては、当該食品等を収納ないし充填した後、容器本体の開口部周縁に設けられたフランジ部とフィルム状の蓋材とをヒートシールして密封包装した包装容器がある。この包装容器では、収納された食品等を取り出す際にあっては蓋材を容器本体から剥離する。
また、内容物の乾燥防止や漏洩防止のために、一度開封した容器を再封することが望まれている。
例えば、ヒートシール層／粘着層／基材層の多層シートで形成された容器と、蓋材とのヒートシールにより密封され、これを開封すると、粘着層が露出して再密封できる形態が特許文献１に記載されている。
【０００３】
一方、再封可能という便利な機能を備えているために、内容物が交換されたり、異物等が混入されて再封されたとしても気づかないまま、商品として陳列してしまうといったことが危惧されている。開封後に再封した状態では、剥離した面が粗くなったり、界面内に気泡を含んだりして、一度開封したことが視認できないこともないが、明確な判断は困難であった。
そこで、開封されているかどうかを示す開封視認性を向上させるために、粘着樹脂層に着色剤を含有させた形態が、特許文献２に記載されている。この発明は、粘着層に着色剤を含有させると、開封前と開封後とでは、色調が全く同じにならないということで開封視認を行うものである。
また、剥離表示を基材層に印刷し、開封後にはこの剥離表示を露出させる技術が特許文献３に記載されている。
【０００４】
【特許文献１】特開昭５０−３７５９８号公報
【特許文献２】特開２００４−１０６８７８号公報
【特許文献３】特開２００５−３１３９５３号公報
【発明の開示】
【発明が解決しようとする課題】
【０００５】
しかしながら、特許文献２の方法では、どの色が開封状態を示すのかを判断することは一般消費者には困難であり、また、色調を確認するため、蓋材のヒートシール部は透明にしておかなければならないため、デザインが制限されてしまう。さらに、粘着樹脂層に着色剤を含ませると、別途粘着力を損なわない特殊な着色剤マスターバッチを必要としたり、直接押出機に投入するとしても、押出機内が汚れるため、生産性が損なわれる。
また、特許文献３では、印刷という作業が発生し、製造工程が煩雑となってしまう。
【０００６】
本発明の目的は、開封視認が容易に行え、容易かつ安価に製造できる、再封可能な包装容器およびその製造方法を提供することである。
【課題を解決するための手段】
【０００７】
本発明の包装容器は、開口部の周縁にフランジ部が形成された容器本体と、前記開口部を塞ぐとともに前記フランジ部との間をシール部でシールされた蓋材とを備え、開封した前記蓋材が前記容器本体に再封するための粘着層が、前記フランジ部または前記蓋材のどちらかに設けられた包装容器において、前記フランジ部の前記シール部の開封開始位置から外側に向けた領域の部分に、前記容器本体と前記蓋材とが部分的にシールされた中央部と、この中央部の外周に沿って形成された切欠部とを有する開封視認部が形成され、この開封視認部は、開封時に前記容器本体と前記蓋材との少なくとも一方が変形することを特徴とする。
【０００８】
この発明によれば、フランジ部に形成されたシール部の開封開始位置から外側に向けた領域の部分に、開封視認部が形成される。開封視認部は、容器本体と蓋材とが部分的にシールされた中央部と、中央部の外周に沿って形成された切欠部を有しているので、包装容器を開封するときには、切欠部が切断開始位置となり、蓋材か容器本体が切断されて変形する。変形とは、例えば、蓋材か容器本体が破断したり、孔があいた状態となる。
したがって、一度開封すると蓋材か容器本体が変形して孔などが形成されるので、包装容器を再封した場合でも、開封していることを容易に確認できる。また、一般消費者にとって、孔があいた状態というのは、すでに開封済みであることを認識しやすい。
【０００９】
本発明の包装容器では、前記切欠部は、蓋材フィルムが切断された切断部と、蓋材フィルムが切断されていない接続部とを有することが好ましい。
この発明によれば、蓋材フィルムが切断された切断部と切断されていない接続部を有するので、包装容器を開封するときは、接続部のみを切断すればよい。したがって、包装容器を開封する力で開封視認部周辺を破断でき、易開封性を実現できる。
【００１０】
本発明の包装容器では、前記切断部は、前記中央部の外周に沿って向き合うように形成され、前記接続部は、前記切断部の端部と端部の間にあって、前記中央部の外周の互いに対向する位置に形成されることが好ましい。
この発明によれば、中央部の外周に沿って切断部が向き合うように形成され、切断部の端部と端部との間が接続部となっている。たとえば、中央部が丸形である場合には、平面略半円弧状の切断部が互いに向き合うように形成され、切断部の端部と端部との間が接続部となり、中央部の外周の対向する位置に形成されることになる。
したがって、包装容器を開封するときは、対向する接続部のみを切断すればよいので、包装容器を開封する力で容易に切断することができる。
【００１１】
前記開封視認部は、前記対向する前記接続部を結ぶ直線が、前記包装容器を開封する方向と交差する方向に配置されていることが好ましい。
この発明によれば、開封視認部は、対向する接続部を結ぶ直線が、包装容器を開封する方向と交差する方向に配置されるので、包装容器を開封したときに、接続部に力がかかりやすく、接続部を容易に切断することができる。
【００１２】
本発明の包装容器では、前記切欠部は、蓋材フィルムが薄肉状に形成されていることが好ましい。
この発明によれば、切欠部は、容器本体と蓋材とがシールされた中央部の外周に沿って薄肉状に形成されているので、切欠部が切断されやすい。したがって、薄肉とされた切欠部から切断が開始され、開封視認部周辺を容易に切断することができる。なお、よりよい易開封性のためには、中央部の全周にわたって薄肉状に形成するのがよい。
【００１３】
本発明の包装容器の製造方法は、前記蓋材が前記フランジ部に重なった状態で、前記蓋材の上から先端の尖ったヒートシール歯を押圧することによって開封視認部が形成されることを特徴とする。
この発明によれば、開封視認部を形成するためには、蓋材と容器本体を重ね合わせ、蓋材の上からシートヒール歯を押圧するだけでよいので、特別な工程を必要とせず、容易にかつ安価に製造することができる。
【００１４】
本発明の包装容器の製造装置は、前記蓋材が前記フランジ部に重なった状態で、前記蓋材の上から押圧することによって開封視認部を形成するヒートシール歯を備えていることを特徴とする。
この発明によれば、開封視認部を形成するためのヒートシール歯を備えた製造装置を使用するので、容易に開封視認部を形成することができる。
【００１５】
本発明の包装容器の製造装置において、前記ヒートシール歯は、その押圧面に凹部が形成され、前記凹部を取り囲む外周部は全周に沿って部分的に尖った形状であるか、全周にわたって一体的に尖っている形状であることが好ましい。
この発明によれば、ヒートシール歯の外周部が部分的に尖った形状であるので、このヒートシール歯でシールすると、外周部の尖った部分に当たる蓋材フィルムに圧力が集中し、蓋材フィルムが部分的に破断され、切欠部が形成される。一方、凹部により、蓋材と容器本体とがシールされ、開封視認部が形成される。
また、ヒートシール歯の外周部の形状が全周にわたって一体的に尖っている場合は、外周部に当たる部分に圧力が集中し、開封視認部の外周に沿って蓋材フィルムが薄くなった切欠部が形成される。
したがって、ヒートシール歯を押し当てるだけで、シール部分と切欠部とを形成することができ、一工程で開封視認部を形成することができる。
【発明を実施するための最良の形態】
【００１６】
以下、本発明の実施形態を図面に基づいて説明する。各実施形態の説明において同一符号を付した部材は説明を省略もしくは簡略にする。
[第一実施形態]
図１は第一実施形態にかかる包装容器の概略図を示す。図１（Ａ）は密閉された状態の包装容器を示す斜視図、図１（Ｂ）は一部が開封された状態の包装容器を示す斜視図である。
【００１７】
図１において、包装容器１は、内容物が凹部に収納される平面略矩形状の容器本体２を備え、この容器本体２には、その中心部に平面略矩形に形成された開口部２１を塞ぐための蓋材３が、開口部２１の周縁に配設されたフランジ部２２にヒートシールされている。このフランジ部２２と蓋材３とのヒートシールはシール部２３で行われる。
【００１８】
容器本体２のフランジ部２２は、四つの角のうち、開封開始位置Ｓを有する一つの角が外側に突き出すように広く形成され、シール部２３の面よりも一段低くなって張出部２４とされている。
開封開始位置Ｓから張出部２４の外周までの領域には、容器本体２と蓋材３が部分的にシールされた開封視認部４が形成される。
【００１９】
図２（Ａ）は、本実施形態の開封視認部４周辺の拡大図、（Ｂ）は（Ａ）のＢ−Ｂ断面図である。
開封視認部４の形状は平面が丸形であって、張出部２４の略中央に形成されている。開封視認部４の中央にある中央部４１は容器本体２と蓋材３とがシールされており、また、中央部４１の外周に沿って切欠部４２が形成されている。
切欠部４２は、蓋材フィルムが切断された切断部４２１と、蓋材フィルムが切断されていない接続部４２２とからなり、切断部４２１は平面略半円弧状に形成され、接続部４２２は、切断部４２１の端部と端部との間の部分であり、中央部４１の外周の対向する位置に形成される。また、開封視認部４は、対向する接続部４２２を結ぶ直線が、包装容器１を開封する方向と交差するように配置される。
【００２０】
次に、容器本体２について説明する。
図３は、第一実施形態にかかる包装容器の断面図を示している。
容器本体２は、ヒートシール層２５１、粘着層２５２および基材層２５３を積層した多層シート２５から成形される。
ヒートシール層２５１には、ＰＰ（ポリプロピレン）、ＰＥ（ポリエチレン）、ＰＥＴ−Ｇ（ポリエチレンテレフタレート共重合体）、ＰＢＴ（ポリブチレンテレフタレート）などの材料を使用することができる。
【００２１】
粘着層２５２に使用される粘着材は、水素添加物も含むスチレンブロックとジエンブロックとを含有するゴム質ブロック共重合体と粘着付与樹脂、および可塑剤とから選択される２種以上の成分からなる。
スチレンブロックとジエンブロックとを含有するゴム質ブロック共重合体は、スチレンブロックとジエンブロックとを含有するゴム質ブロック共重合体水素添加物も含む。例えば、ポリスチレンブロックとビニル−ポリイソプレンブロックが結合したブロック共重合体、ポリスチレンブロックとエチレン−プロピレンブロックが結合したブロック共重合体、ポリスチレンブロックとエチレン−ブタジエンブロックが結合したブロック共重合体、ポリスチレンブロックとエチレン−エチレン−プロピレンブロックが結合したブロック共重合体等が挙げられる。
【００２２】
粘着付与樹脂としては、例えば、水添ロジン系樹脂、テルペン系樹脂、水添テルペン系樹脂、Ｃ５・Ｃ６系脂肪族石油樹脂、脂環族石油樹脂等が挙げられる。
可塑剤としては、例えば、流動パラフィン、プロセスオイル（芳香族系又はナフテン系又はパラフィン系石油系炭化水素）、合成ワックス等が挙げられる。
【００２３】
粘着層２５２は、ゴム質ブロック共重合体、粘着付与剤及び可塑剤等を混練溶融して製造できる。好ましくは、可塑剤は一軸押出機の途中から注入して製造する。
可塑剤を一軸押出機の途中から注入すると、押出機のコストが安く、また、可塑剤の注入量を変えるだけで、接着強度の調節が容易になる。
粘着樹脂層は、その特性を損なわない範囲において、この他に、酸化防止剤、タルク、炭酸カルシウム等の無機質フィラー、発泡剤、酸化チタン等の着色剤等を含むことができる。
【００２４】
基材層２５３は、容器本体２の外部に現れる層であり、構成材料としては、ポリプロピレン系樹脂、ポリエチレン系樹脂等のオレフィン系樹脂やＰＥＴ等のポリエステル系樹脂等の材料、及びこれらのブレンド材料の単層シートまたは積層シートや、また、ガスバリア性を付与すべく、例えばＥＶＯＨ（エチレンビニルアルコール共重合体）、Ｎｙ（ナイロン）、ＰＥＴ等の樹脂材料やアルミ蒸着等で形成されたガスバリア層を形成する樹脂等を使用することができる。
【００２５】
基材層２５３が、シートを熱成形することによって得られる場合には、その構成を次のものとすることができる。ＰＰ、ＰＥ、ＰＥＴのいずれかからなる単層シートのほか、これらを組み合わせた積層シートとして、ＰＰ／ＥＶＯＨ／ＰＰ、ＰＥＴ／ＰＥ、ＰＥＴ／ＥＶＯＨ／ＰＥなどが挙げられる。
【００２６】
こうして得られた樹脂を、共押出し、ドライラミネーション、押出ラミネーション、押出コーティングやこれらの組み合わせで、ヒートシール層２５１／粘着層２５２／基材層２５３からなる多層シート２５を作製できる。なお、各層の厚み、樹脂選定や配合比率等により、各層の接着強度を調節できる。
【００２７】
蓋材３は、複数の層からなる積層体であり、例えば、ＰＥＴ／Ｎｙ／ＣＰＰ（無延伸ポリプロピレン）、ＰＥＴ／ＡＬ（アルミ箔）／ＣＰＰ、ＰＥＴ／Ｎｙ／Ｌ−ＬＤＰＥ（低密度ポリエチレン）、透明蒸着ＰＥＴ／Ｌ−ＬＤＰＥ、Ｎｙ／ＥＶＯＨ／Ｌ−ＬＤＰＥなどの層構成が挙げられる。
これらの積層シートの製造は、共押出し、熱ラミネーション、ドライラミネーション等で行うことができ、さらには、これらを段階的に組み合わせることでも行うことができる。
【００２８】
このような構成の包装容器１を開封する方法を図２および図３に基づいて説明する。図３は、包装容器１を開封した状態の断面図である。
包装容器１は、張出部２４の蓋材３を把持し、そのまま容器本体２と蓋材３が離れる方向に引っ張ることで開封することができる。
包装容器１を開封するとき、張出部２４に形成された開封視認部４の中央部４１は容器本体２とシールされているので、剥離しない。一方、中央部４１の外周に沿って蓋材フィルムが切断された切断部４２１と切断されていない接続部４２２からなる切欠部４２が形成されているので、開封するときには、接続部４２２のみを切断すればよい。
したがって、蓋材３を開封する力で、開封視認部４の外周に沿って容易に切断することができる。その結果、開封視認部４の中央部４１はそのまま容器本体側に残り、蓋材３には中央部４１と同じ形状の孔が形成されたり、変形したりする。
【００２９】
そして、さらに蓋材３を開封すると、ヒートシールの強度、各層間の接着強度の相対的関係により、強度の弱いシール部２３の端部付近で、ヒートシール層２５１が破断する。そして、ヒートシール層２５１と粘着層２５２との間で層間剥離するか、粘着層２５２も破断して粘着層２５２と基材層２５３とが層間剥離するか、もしくは、粘着層２５２内の凝集剥離により剥離する。
【００３０】
前述のいずれの方法で剥離しても、粘着層２５２が露出するので、露出した粘着層２５２を圧着することで、包装容器１を再封することができる。
こうして再封された包装容器１の張出部２４には、変形して孔があいた状態となった開封視認部４が形成される。
【００３１】
本実施形態の包装容器１を製造する方法について説明する。
図４は、包装容器１の製造装置の一部を示す概略構成図である。
図４において、包装容器１の製造装置５は、フランジ部２２の蓋材３とは反対側に配置される金型５１と、この金型５１のフランジ部２２を挟んで反対側に配置されたフランジ押さえ５２と、容器本体２の内容物を収納する開口部２１を形成するプラグ５３とを備えている。
金型５１は容器本体２の開口部２１を形成するための凹部５１Ａが中央部に形成されており、この凹部５１Ａの上端縁にはフランジ部２２を形成するための平部５１Ｂが形成され、平部５１Ｂの面よりも低い位置に平部５１Ｃが形成されている。
【００３２】
容器本体２を構成する多層シート２５を金型５１とフランジ押さえ５２及びプラグ５３との間に送り、この状態でフランジ押さえ５２及びプラグ５３を金型５１側に移動させることで、内容物を収納するための凹部５１Ａとフランジ部２２とが多層シート２５に一度に成形される。
本実施形態では、プラグアシスト真空成形、プラグアシスト圧空成形等の熱成形を行うことで、平部５１Ｂの形状に沿ったフランジ部２２が形成される。
なお、本実施形態では、プラグ５３やフランジ押さえ５２を省略し、真空成形、圧空成形等で容器本体２を成形するものでもよいし、射出成形を行ってもよい。
射出成形の場合、基材層２５３として、ＰＰ、ＰＥ、ＰＥＴ等を用いることができ、これらを射出成形後、さらに粘着層２５２およびヒートシール層２５１を射出成形して、容器本体２を得ることができる。
【００３３】
その後、図５に示すように、内容物Ｐが収納された容器本体２のフランジ部２２の平面部に蓋材３を載せ、これらをヒートシールする。
ヒートシールの強度は、多層シートのヒートシール層２５１と粘着層２５２との接着強度より強いか、または、基材層２５３と粘着層２５２との接着強度よりも強い。ヒートシールの接着強度は、温度、圧力、時間等のヒートシール条件、各層の厚み、樹脂選定等により調節できる。
ヒートシールはシールバー８が蓋材３の上からフランジ部２２に押し当てられて行われ、ヒートシールされた容器本体２と蓋材３との間には環状のシール部２３が形成されることになる。また、これと同時か、または次の工程にて、ヒートシール歯６を用いて開封視認部４を形成することができる。
【００３４】
ここで、ヒートシール歯６の構成を図６に示す。図６には、ヒートシール歯６の正面図と底面図が示されている。ヒートシール歯６の押圧面６Ａは、中央に凹部６１が形成され、凹部６１の側面部６１Ａと一体化した外周部６２が、凹部６１の平面部６１Ｂを取り囲むように形成されている。
なお、第一実施形態においては、外周部６２上の対向する２箇所に切欠６３を有している。切欠６３の幅は、開封性を損なわない任意の長さでよいが、例えば、それぞれ１ｍｍとすることができる。
【００３５】
外周部６２は、尖った形状をしており、その尖り具合は任意に決定してよいが、例えば、ヒートシール歯６の外壁に対して側面部６１Ａの傾斜角を６０°とすることができる。また、外周部６２の、平面部６１Ｂからの高さは１５０μｍとすることができる。ヒートシール歯６をこのような構成にすることによって、開封視認部４の中央部４１を確実にシールできるとともに、開封視認部４の外周には、部分的に破断した切欠部４２を形成することが可能となる。
【００３６】
なお、このヒートシール歯６で開封視認部４を形成する際には、ヒートシール歯６の外周部６２上の対向する切欠６３を結ぶ線が、包装容器１の開封方向に対して直角となる向きにヒートシール歯６を配置することが好ましい。こうして形成された開封視認部４は、より容易に破断される。
また、このヒートシール歯６を押し当てるだけの一工程で開封視認部４を形成できるので、包装容器１の製造工程に簡単に組み込むことができる。例えば、容器本体２と蓋材３とを密封するためのシール部２３を形成したシールバー８に、このヒートシール歯６を組み込むと、本実施形態のように、シール部２３と開封視認部４とを同時に形成することができる。
【００３７】
したがって、本実施形態では、次の作用効果を奏することができる。
（１）開封視認部４は、容器本体２と蓋材３とが部分的にシールされているので、包装容器１を開封するとき、開封視認部４の蓋材フィルムは、剥離しない。また、開封視認部４の外周に沿って切欠部４２が形成されているので、切欠部４２を容易に切断することができる。こうして、開封視認部４の蓋材フィルムは容器本体２に残り、蓋材３には開封視認部４の蓋材フィルムと同じ形状の孔が形成されるか、変形したりする。
したがって、包装容器１を開封した後に再封したとき、蓋材３に孔があいた状態であることを確認でき、一度開封されたものであることを認識できる。一般消費者にとって、孔があいた状態というのは、開封済みであることを容易に認識できるので、開封済みであることを知らせるための有効な手段となる。
【００３８】
（２）また、切欠部４２は、開封視認部４の外周に沿って蓋材フィルムが切断された切断部４２１と切断されていない接続部４２２とから形成される。切断部４２１は平面略半円弧状の形状であり、接続部４２２は、切断部４２１の端部と端部との間の部分で、開封視認部４の外周の対向する位置に形成されているので、開封時には、対向する接続部４２２のみを切断すればよい。さらに、開封視認部の向きは、対向する接続部を結ぶ直線が、包装容器１を開封する方向と交差するように配置される。
開封するときに蓋材３を把持して容器本体２と離れる方向に引っ張ると、接続部４２２に力がかかりやすい。
したがって、包装容器１を開封する力で、切欠部４２を容易に切断することができる。
【００３９】
（３）張出部２４は、フランジ部２２のシール部２３の面よりも低く形成されているので、包装容器１を一度開封すると、開封視認部４の周辺の蓋材３が容器本体２と離れ、開封視認部４の孔を確認しやすい。
【００４０】
（４）開封視認部４を形成するためのヒートシール歯６の形状は、中央に凹部６１があり、凹部６１を取り囲むように外周部６２が形成される。外周部６２は外周に沿って部分的に尖った形状をしているので、尖った部分が当たる蓋材フィルムに大きな圧力が集中し、開封視認部４の外周に沿って蓋材フィルムを部分的に破断することができる。
また、このヒートシール歯６は、凹部６１の平面部６１Ｂによって中央部４１を確実にシールするとともに、外周部６２によって切欠部４２の切断部４２１を形成し、切欠６３によって切欠部４２の接続部４２２を確実に形成することができる。
このように、一工程で簡単に開封視認部４を形成できるので、包装容器１を製造する工程の中に簡単に組み込むことができる。したがって、開封視認が簡単に行える再封可能な包装容器を、容易かつ安価に製造できる。
【００４１】
[第二実施形態]
第二実施形態では、開封視認部４の切欠部４２の形状が異なる以外は、第一実施形態と同様の構成である。
図７（Ａ）は、第二実施形態の開封視認部４周辺の拡大図、（Ｂ）は、（Ａ）のＢ−Ｂ断面図である。
開封視認部４の中央部４１の外周に沿って切欠部４２が形成され、切欠部４２の蓋材フィルムは、中央部４１の全周にわたって薄肉状となっている。したがって、開封する際には、薄肉状となった切欠部４２が破断されやすい。
このような形状の開封視認部４を形成するには、図８に示すヒートシール歯７を用いる。図８は、ヒートシール歯７の正面図と底面図である。ヒートシール歯７は、ヒートシール歯６の外周部６２の形状が異なる以外は、ヒートシール歯６と同様の構成である。
【００４２】
ヒートシール歯７の押圧面７Ａは、中央に凹部７１が形成され、凹部７１の側面部７１Ａと一体化した外周部７２が、凹部７１の平面部７１Ｂを取り囲むように形成されている。
外周部７２は、全周にわたって一体的に尖った形状となっており、このヒートシール歯７でシールすると、外周部７２が当たる部分に圧力が集中し、蓋材フィルムが薄くなり、薄肉状となった切欠部４２が形成される。一方、平面部７１Ｂが当たる部分は確実にシールされる。
このような構成のヒートシール歯７を用いると、押し当てるだけの一工程でよいので、包装容器１の製造工程に簡単に組み込むことができる。
したがって、第一実施形態の（１）、（３）および以下の作用効果を奏することができる。
【００４３】
（５）開封視認部４を形成するためのヒートシール歯７の形状は、中央に凹部７１があり、凹部７１を取り囲むように外周部７２が形成される。外周部７２は全周にわたって尖った形状をしているので、尖った部分が当たる蓋材フィルムに大きな圧力が集中し、開封視認部４の全周にわたって蓋材フィルムを薄肉状に形成することができる。
したがって、ヒートシール歯７によって、凹部７１の平面部７１Ｂによって中央部４１を確実にシールするとともに、外周部７２によって切欠部４２を確実に形成することができる。このように、一工程で簡単に開封視認部４を形成できるので、包装容器１を製造する工程の中に簡単に組み込むことができる。したがって、開封視認が簡単に行える再封可能な包装容器を、容易かつ安価に製造できる。
【００４４】
なお、本発明は前述の実施形態に限定されるものではなく、本発明の目的を達成できる範囲での変形、改良等は本発明に含まれるものである。
例えば、前記実施形態では、包装容器１の形状を平面矩形状としたが、これに限られず、平面円形状やその他の形状でもよい。
【００４５】
また、開封視認部４の形状、数および位置は前記実施形態に限られない。その変形例を図９（Ａ）から（Ｃ）に示す。図９（Ａ）に示すような三角形のほか、楕円形やひし形など、開封において把持部が破断しない任意の形状であれば良い。
また、図９（Ｂ）のように開封視認部４を２つ設けてもよい。開封性が損なわれない範囲で任意に決めることができる。
開封視認部４の位置は、張出部２４の外周からシール部２３上へおよぶ任意の箇所であれば、どこに形成してもよく、図９（Ｂ）や図９（Ｃ）の例のように、シール部２３上に形成してもよい。
【００４６】
また、本実施形態では、開封視認部４が形成された張出部２４は、フランジ部２２のシール部２３の面よりも低く形成されていたが、張出部２４は、フランジ部２２のシール部２３の面と同じ高さであってもよい。
【００４７】
また、第一実施形態では、開封視認部４の切欠部４２は、切断部４２１が平面略半円弧状に形成されていたが、開封性が損なわれなければ、切断部４２１の円弧の長さを短くして破線状に複数形成してもよい。この場合、開封視認部４を配置する向きは、任意に決めることができる。
【００４８】
また、第二実施形態では、開封視認部４の全周にわたって薄肉状の切欠部４２が形成されたが、薄肉状の部分が、開封視認部４の外周に沿って破線状に形成されてもよい。
【００４９】
また、前記実施形態では、製造工程において、シール部２３と開封視認部４とを同時にシールして形成したが、シール部２３をシールするシール工程の後に、別工程で開封視認部４を形成してもよい。この場合、シール工程の後に、このヒートシール歯６が張出部２４付近の任意の位置に降りる装置を据え付ける。この装置は、シール工程でシール部２３を形成したシールバー８と同じものでもよいが、開封視認部４は面積が狭いので、より小型のものか超音波シール装置を組み込んでもよい。
【００５０】
また、前記実施形態では、再封可能な包装容器として、容器本体２側にヒートシール層２５１と粘着層２５２とを設けたが、これらは蓋材３側に設けられてもよい。この場合の蓋材３の層構成は、例えば、ヒートシール層／粘着層／ＰＥＴ、ヒートシール層／粘着層／Ｎｙ／ＰＥＴ、ヒートシール層／粘着層／ＣＰＰ／Ｎｙ／ＰＥＴおよびヒートシール層／粘着層／ＣＰＰ／Ｎｙ／透明蒸着ＰＥＴなどのようにすることができる。
【００５１】
また、前記実施形態では、蓋材３をフランジ部２２にシールする手段としてヒートシールを用いたが、超音波や接着剤等を用いてもよい。
【実施例】
【００５２】
次に、実施例を挙げて本発明をさらに詳しく説明するが、本発明はこれらの実施例の記載内容に何ら制約されるものではない。
[容器本体の製造]
まず、容器本体に使用するシートを製造した。シートは、ヒートシール層Ａ／粘着層Ｂ／ポリオレフィン層Ｃからなる３層の多層フィルムである。
【００５３】
ヒートシール層Ａには、株式会社プライムポリマー製プライムポリプロＹ−２０４５ＨＰを使用し、ポリオレフィン層Ｃには、株式会社プライムポリマー製プライムポリプロＦ−７０４ＮＰを使用した。また、粘着層Ｂに使用する粘着材は、スチレンブロックとジエンブロックとを含有するゴム質共重合体水素添加物として日本ゼオン製クインタックＳＬ−１２５（比重0.89、ＭＦＲ＝5g／10min at 230℃、2.16kg）30wt%と、粘着付与樹脂として、出光興産製C5−芳香族系共重合水素添加樹脂アイマーブＰ-１２５（軟化点125℃、密度1.03）40wt%をドライブレンドしてホッパーから投入して溶融混練しつつ、可塑剤として出光興産製プロセスオイル  ダイアナプロセスオイルＰＷ−９０（密度0.8722）に酸化防止剤として、チバスペシャリティケミカルズ製イルガノックス１０１０を3wt%溶解させたものを粘着材総量に対し30wt%となるように、押出機の途中から注入して押し出して得た。
【００５４】
ヒートシール層Ａおよびポリオレフィン層Ｃの材料を30mmφのシングルスクリューが装備された各押出機で押し出し、粘着層Ｂの材料を40mmφのシングルスクリューが装備された押出機で押し出し、フィードブロックで積層した後、500mm幅のＴダイ装置でキャスト成形して幅400mmの再封機能を有する３層の多層フィルムを製造した。なお、粘着層Ｂの押出機は、スクリューに、混練のためのダルメージがついており、バレルの中間部からオイルを途中注入できる構造のものを使用した。
各層の厚さは、ヒートシール層Ａが5μm、粘着層Ｂが15μm、ポリオレフィン層Ｃが30μmとした。
【００５５】
次に、製造した３層の多層フィルムのポリオレフィン層Ｃ側に、基材層Ｄとして、ポリプロピレンを積層するため、ポリプロピレンシートＴダイ製造装置を用いて、タッチロールにて熱ラミネーション成形を行った。得られたシートの構成は、ヒートシール層Ａ(5μm)／粘着層Ｂ(15μm)／ポリオレフィン層Ｃ(30μm)／基材層Ｄ(450μm)となった。
得られたシートは、ヒートシール層Ａが内側面になるよう、一般的なプラグアシスト真空圧空成形を行い、外寸150mm×120mm、深さ24mmの長角容器を成形した。なお、ヒートシール可能なフランジ部の幅は、４辺とも20mmとした。
【００５６】
[蓋材のシール]
蓋材としては、ポリエチレンテレフタレート（ＰＥＴ、12μm）／ナイロン（Ｎｙ、15μm）／ポリプロピレン（ＰＰ、50μm）からなるラミネートフィルムを使用した。
得られた容器本体のフランジ部に、上記ラミネートフィルムのＰＰ面をあて、温度190℃、面圧2Mpa、時間1.5秒の条件で、ＰＥＴ面からヒートシール歯を押し当ててヒートシールを行い、接着した。
【００５７】
[開封視認部のシール]
蓋材を容器本体にシールした後、開封視認部を形成した。
開封開始部上に、ヒートシール歯を押し当ててヒートシールした。
ここで用いたヒートシール歯は、断面形状が5mmφの第二実施形態で用いたヒートシール歯（図７）である。温度190℃、面圧2MPa、時間1秒の条件で蓋材のＰＥＴ面からヒートシール歯を押し当てた。
【００５８】
[開封視認性の評価]
上記のようにして得られた包装容器を開封したところ、5mmφに破断された開封視認部の蓋材フィルムが容器本体に残り、蓋材には孔があいた。さらに、包装容器を再封したところ、容器は密封されたが、開封視認部は容器に接着されることなく、孔があいた状態を容易に確認できた。
【産業上の利用可能性】
【００５９】
本発明は、例えば、レトルト食品等の各種食品や薬品、化粧品等に包装容器として広く利用することができる。
【図面の簡単な説明】
【００６０】
【図１】（Ａ）本発明の第一実施形態にかかる包装容器の密封状態を示す斜視図、（Ｂ）本発明の第一実施形態にかかる包装容器の開封状態を示す斜視図。
【図２】（Ａ）は図１の要部拡大図、（Ｂ）は（Ａ）の断面図。
【図３】第一実施形態にかかる包装容器の開封状態における断面図。
【図４】第一実施形態にかかる包装容器の製造装置の要部断面図。
【図５】第一実施形態にかかる包装容器の製造装置の要部断面図。
【図６】第一実施形態にかかるヒートシール歯の正面図および底面図。
【図７】（Ａ）は第二実施形態にかかる包装容器の要部拡大図、（Ｂ）は（Ａ）の断面図。
【図８】第二実施形態にかかるヒートシール歯の正面図および底面図。
【図９】（Ａ）（Ｂ）（Ｃ）は本発明にかかる包装容器の開封視認部の例を示す概略図。
【符号の説明】
【００６１】
１…包装容器
２…容器本体
２４…張出部
２５…多層シート
２５１…ヒートシール層
２５２…粘着層
２５３…基材層
３…蓋材
４…開封視認部
Ｐ…内容物
Ｓ…開封開始位置
【図１】
2008062962.tif 000003
【図２】
2008062962.tif 000004
【図３】
2008062962.tif 000005
【図４】
2008062962.tif 000006
【図５】
2008062962.tif 000007
【図６】
2008062962.tif 000008
【図７】
2008062962.tif 000009
【図８】
2008062962.tif 000010
【図９】
2008062962.tif 000011